(57)【特許請求の範囲】
【請求項１】
苗押さえバリ本体（１）は、円柱状の金属を輪切り状にした構造であり、平面から見
て中点には、移植機のシャフトにセットする穴（５）と、側面には二列の針を設け、
苗押さえバリ本体（１）を移植機のシャフトにセットして、ペーパーポットに横穴を
あけられる構造にした事を特徴とする苗押さえバリ。
【請求項２】
苗押さえバリ本体（１）は、二列バリを使用しているが、ペーパーポットに横穴を
あけるときに好みにより一列バリ式を移植機に使用することが出来る請求項１記載
の苗押さえバリ。
【発明の詳細な説明】
【技術分野】
【０００１】
「第７項」
移植機のシャフトにとりつける苗押さえバリに関する。
【背景技術】
【０００２】
従来、移植機とペーパーポットを使用して、又ペーパーポットを開いて土と種を入れて移植機で畑に植えるだけの内容であり、沢山の作物と其の成長させる事に大きく欠けている。
「特許文献１」特開２０１１-０５５８１４号公報（定植用穴あけ機）、「特許文献２」実開平０２−１１１２１９号公報（田植え機の苗供給部構造）に記載がある。
【先行技術文献】
【特許文献】
【０００３】
【特許文献１】特開２０１１-０５５８１４号公報
【特許文献２】実開平０２−１１１２１９号公報
【発明の概要】
【発明が解決しようとする課題】
【０００４】
従来沢山の苗を作るためにペーパーポットを開いて土と種を入れて苗を作り、これを移植機で畑に植えてきた。縦の根は畑で伸びるが横の根はペーパーポットを突き破ることが出来なく、縦の根が土中に十分延びてから横の根が伸びるために生育が遅い。苗がより早く生育させるためにペーパーポットに穴を開ける事が必要であるが、予め穴を開けておくと横根が速く伸びて苗を植える時に支障をきたす。苗を植えながらペーパーポットに穴を開けることが課題である。
【課題を解決するための手段】
【０００５】
課題を解決するために本発明は，以下の構成とした。
＜２列バリ式＞
苗押さえバリ本体（１）は、円柱状の金属を輪切り状にして、正面から見て中点には、苗押さえバリ本体を移植機のシャフトに入れる穴（５）を一箇所開け、苗押さえバリ本体（１）の側面から、一方の列の針を差し込む穴（３）を開け、一方の列のペーパーポットに穴を開ける針（２）を差込み、正面から一方の列の針を固定する穴（３−２）を開けた。
背面からも他方の列の針を固定する穴（４−２）を開けた。
一方の列の針を固定するネジ（３−１）を正面から６角レンチで固定した。
更に側面から、他方の列の針を差し込む穴（４）を開け、他方の列のペーパーポットに穴を開ける針（２−１）を差込み、他方の列の針を固定するネジ（４−１）を正面から６角レンチで固定した。
側面の一方の列の針を差し込む穴（３）と、他方の列の針を差し込む穴（４）の２列は、それぞれ一定間隔で開ける。
このとき一方の列と他方の列とは互い違いになるように、それぞれ複数個開けた。
【０００６】
苗押さえバリを、移植機（８）の苗押さえバリ本体（１）を固定するシャフト（９）にネジで固定して、ペーパーポットもセットして前記の移植機（８）を畑で作動させる時、苗押さえバリを取り付けた事により、一個のペーパーポットに小さな穴が複数個開く。
そのペーパーポットに開けた穴から、農作物の根が出て来て成長する。
以上が２列バリ式の苗押さえバリである。
【０００７】
１列バリ式の構造は図３、図４、で示す通り、側面から見て、一周一列しかペーパーポットに穴を開ける針を使用していないため、２列バリ式より幅が薄い構造であり、正面からだけ、針を固定するネジで固定しているため、背面から針の根元が固定している状態が確認できる構造である。
また、使用する人の好みによって、２列バリ式から１列バリ式に変更して移植機（８）に取り付けて使用することが出来る。
【発明の効果】
【０００８】
（イ）苗押さえバリを使用した事により、特にビートの成長は穴から横根が伸びるため、成長が早い。これは実験の結果明らかである。
（ロ）一日の労働時間と手間暇は一緒で収穫が大きいため、農家及び農業全体に与える影響が大きい。
（ハ）苗押さえバリを使用した事により、農家を引き継ぐ人が少なく、人手不足の農家でも収穫・収入が大きく成ることは農家、農業に極めて大きな効果がある。
【図面の簡単な説明】
【０００９】
【図１】Ａ：苗押さえバリ正面図  Ｂ：同背面図（２列バリ式）
【図２】苗押さえバリ側面図（２列バリ式）
【図３】苗押さえバリ背面図（１列バリ式）
【図４】苗押さえバリ正面図（１列バリ式）
【図５】苗押さえバリ側面図（１列バリ式）
【図６】ペーパーポット本体正面図
【図７】ペーパーポットを２枚取り外した説明図
【図８】苗押さえバリを（２列バリ式）移植機にセットした説明図
【図９】移植機の説明図
【発明を実施するための形態】
【００１０】
従来沢山の苗を作るためにペーパーポットを開いて土と種を入れて苗を作り、これを
移植機（８）で畑に植えてきた。縦の根は畑で伸びるが横の根はペーパーポットを突
き破ることが出来なく、縦の根が土中に十分延びてから横の根が伸びるために生育が
遅い。
苗がより早く生育させるためにペーパーポットに穴を開ける事が必要であるが、予め
穴を開けておくと横根が速く伸びて苗を植える時に支障をきたす。
苗を植えながらペーパーポットに穴を開けて、苗の生長を助けることが農業を営む人
達に欠かせない。
苗押さえバリ本体（１）は、円柱状の金属を輪切り状にして、平面から見て中点には、苗押さえバリ本体を移植機のシャフトに入れる穴（５）を開けた。
苗押さえバリ本体（１）の側面から、一方の列の針を差し込む穴（３）と、他方の列の針を差し込む穴（４）を開け、一方の列のペーパーポットに穴を開ける針（２）と、他方の列のペーパーポットに穴を開ける針（２−１）を差込み、正面から一方の列の針を固定する穴（３−２）と、背面から他方の列の針を固定する穴（４−２）を開けた。一方の列の針を差し込む穴（３）と、他方の列の針を差し込む穴（４）は、２列にそれぞれ一定間隔で開ける。このとき一方の列と他方の列とは互い違いになるように、それぞれ複数個開けた。
更に苗押さえバリ本体（１）の側面から移植機（８）の苗押さえバリ本体の側面から移植機のシャフトに固定する穴（５−１）も開けて、苗押さえバリ本体（１）の側面から移植機（８）の苗押さえバリ本体の側面から移植機のシャフトに固定するネジ（５−２）を６角レンチで固定できる構造にした。
苗押さえバリ本体（１）は、移植機（８）の苗押さえバリ本体を固定するシャフト（９）に固定するが、其の穴は正面から見て中点に苗押さえバリ本体（１）を苗押さえバリ本体を移植機のシャフトに入れる穴（５）として、設けたが、それをネジで固定するために、側面から専用の穴である、苗押さえバリ本体（１）の苗押さえバリ本体の側面から移植機のシャフトに固定する穴（５−１）をあけ、そこに苗押さえバリ本体（１）の苗押さえバリ本体の側面から移植機のシャフトに固定するネジ（５−２）で固定できる構造にした。
苗押さえバリ本体を固定するシャフト（９）を平面からみて、中間に苗押さえバリ本体（１）が、設置されるが、その左右は苗押さえスポンジ（６）で挟まれている形状である。
【００１１】
苗押さえスポンジ（６）はペーパーポットに植えられた苗を畑に移植する際に連結された苗を生育させるペーパーポット（７−１）を個別に取り外すための働きをするもので、この間に苗押さえバリ（１）を取り付けることにより、移植時に同時にペーパーポットに横穴を開けることが出来る。
畑に植えられた苗は、縦の根が生長すると同時に、苗を生育させるペーパーポット（７−１）の横穴から横の根も生長するので、苗の生育を早めることが出来る。
また横の根が生育するために苗が丈夫に育ち、収穫も増す。
【００１２】
その穴から、農作物の根が出て来て成長する。
ペーパーポットから根が出て農作物の成長が速く、手間暇や余分な時間がかからず収穫に大きく影響する内容にした。
又、１列式の構造は図３、図４、で示す通り背面から見ると針の根元側の状態を確認できるので、正面から根元を円形状に一列複数個のネジを６角レンチで固定した構造であり、１列バリ式、と２列バリ式の苗押さえバリは、好みにより選んで使用出来る構造にした。
【符号の説明】
【００１３】
＜２列バリ式＞
１．    苗押さえバリ本体
２．    一方の列のペーパーポットに穴を開ける針
２−１  他方の列のペーパーポットに穴を開ける針
３．    一方の列の針を差し込む穴
３−１  一方の列の針を固定するネジ
３−２  一方の列の針を固定する穴
４．    他方の列の針を差し込む穴
４−１  他方の列の針を固定するネジ
４−２  他方の列の針を固定する穴
５．    苗押さえバリ本体を移植機のシャフトに入れる穴  
５−１  苗押さえバリ本体の側面から移植機のシャフトに入れる穴
５−２  苗押さえバリ本体の側面から移植機のシャフトに固定するネジ
６．    苗押さえスポンジ
７．    ペーパーポット本体  
７−１  苗を生育せるペーパーポット（連結されている）
８．    移植機
９．    苗押さえバリ本体を固定するシャフト
【要約】
【課題】従来，移植機もペーパーポットも既に存在し、使用されているが、単純にペーパーポットを開いて、土と種を入れて苗を作り移植機で畑に植える単純作業であり、もっと沢山の収穫と早く成長させる事が重要であり、移植機の構造に改善・改造を加える必要がある。その移植機を改造して作物が同じ日数と同じ労力で収穫がアップさせる事が日本の農業力の改善に繋げる事が出来ないか、苗押さえバリを提供する。
【解決手段】円柱状の金属を輪切り状にした苗押さえバリ本体の側面に、複数個の針を固定させて、移植機のスポンジの間に取りつけてペーパーポットに横穴を開け、このことにより苗の横根の生育を促進させることを特徴とする。
【選択図】図１【図１】
0005950171.tif 000002
【図２】
0005950171.tif 000003
【図３】
0005950171.tif 000004
【図４】
0005950171.tif 000005
【図５】
0005950171.tif 000006
【図６】
0005950171.tif 000007
【図７】
0005950171.tif 000008
【図８】
0005950171.tif 000009
【図９】
0005950171.tif 000010